【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
入力音声の一部を照合区間入力音声として選択し、その照合区間入力音声と登録音声とを照合してこの登録音声と上記入力音声との話者同一性を判定する話者照合装置において、
上記照合区間入力音声に先行又は後続する上記入力音声の一部の音響パワーＮを算出する騒音区間音響パワー算出手段と、
上記照合区間入力音声と上記登録音声とを照合して得られた照合距離値と、上記騒音区間音響パワー算出手段で算出された音響パワーＮに基づいて設定された照合閾値ＴＨＧとを比較して、上記登録音声と上記入力音声との話者同一性を判定する話者判定手段と、
を備えたことを特徴とする話者照合装置。
【請求項２】
上記話者判定手段は、上記音響パワーＮの増加関数の関数値として設定された照合閾値ＴＨＧと上記照合距離値とを比較することを特徴とする請求項１に記載の話者照合装置。
【請求項３】
上記照合区間入力音声の音響パワーＳを算出する照合区間音響パワー算出手段を備え、
上記話者判定手段は、上記照合区間音響パワー算出手段で算出された音響パワーＳを上記騒音区間音響パワー算出手段で算出された音響パワーＮで割った値ＳＮＲに基づいて設定された照合閾値ＴＨＧと上記照合距離値とを比較することを特徴とする請求項１に記載の話者照合装置。
【請求項４】
上記話者判定手段は、上記値ＳＮＲの増加関数の関数値として設定された照合閾値ＴＨＧと上記照合距離値とを比較することを特徴とする請求項３に記載の話者照合装置。
【請求項５】
上記照合区間入力音声の音響パワーＳを算出する照合区間音響パワー算出手段を備え、
上記話者判定手段は、上記照合区間音響パワー算出手段で算出された音響パワーＳを上記騒音区間音響パワー算出手段で算出された音響パワーＮで割った値ＳＮＲが所定の閾値ＴＨＳＮＲを下回る場合に、上記入力音声と上記登録音声の話者は非同一であると判定することを特徴とする請求項１に記載の話者照合装置。
【請求項６】
上記話者判定手段は、照合する登録音声の種類に応じて異なる値が設定された上記閾値ＴＨＳＮＲと上記値ＳＮＲとを比較することを特徴とする請求項５に記載の話者照合装置。
【請求項７】
上記話者判定手段は、報知手段を介して話者に判定状況を知らせることを特徴とする請求項１に記載の話者照合装置。
【請求項８】
入力音声の一部を照合区間入力音声として選択し、その照合区間入力音声と登録音声とを照合してこの登録音声と上記入力音声との話者同一性を判定する話者照合装置において、
選択された上記照合区間入力音声の音響パワーＳを算出する照合区間音響パワー算出手段と、
上記照合区間入力音声に先行又は後続する上記入力音声の一部の音響パワーＮを算出する騒音区間音響パワー算出手段と、
上記照合区間入力音声と上記登録音声とを照合して得られた照合距離値と、所定の照合閾値ＴＨＧとを比較して、上記登録音声と上記入力音声との話者同一性を判定するとともに、上記照合区間音響パワー算出手段で算出された音響パワーＳを上記騒音区間音響パワー算出手段で算出された音響パワーＮで割った値ＳＮＲが所定の閾値ＴＨＳＮＲを下回る場合に、これらの音声の話者は非同一であると判定する話者判定手段と、
を備えたことを特徴とする話者照合装置。
【手続補正２】
【補正対象書類名】明細書
【補正対象項目名】０００７
【補正方法】変更
【補正の内容】
【０００７】
この発明に係る話者照合装置は、上記のような課題を解決するためになされたもので、ノイズによる誤照合を防ぐことを目的とするものである。
【手続補正３】
【補正対象書類名】明細書
【補正対象項目名】０００８
【補正方法】変更
【補正の内容】
【０００８】
この発明に係る話者照合装置は、入力音声の一部を照合区間入力音声として選択し、その照合区間入力音声と登録音声とを照合してこの登録音声と上記入力音声との話者同一性を判定する話者照合装置において、
上記照合区間入力音声に先行又は後続する上記入力音声の一部の音響パワーＮを算出する騒音区間音響パワー算出手段と、
上記照合区間入力音声と上記登録音声とを照合して得られた照合距離値と、上記騒音区間音響パワー算出手段で算出された音響パワーＮに基づいて設定された照合閾値ＴＨＧとを比較して、上記登録音声と上記入力音声との話者同一性を判定する話者判定手段と、
を備えたものである。
また、  入力音声の一部を照合区間入力音声として選択し、その照合区間入力音声と登録音声とを照合してこの登録音声と上記入力音声との話者同一性を判定する話者照合装置において、
選択された上記照合区間入力音声の音響パワーＳを算出する照合区間音響パワー算出手段と、
上記照合区間入力音声に先行又は後続する上記入力音声の一部の音響パワーＮを算出する騒音区間音響パワー算出手段と、
上記照合区間入力音声と上記登録音声とを照合して得られた照合距離値と、所定の照合閾値ＴＨＧとを比較して、上記登録音声と上記入力音声との話者同一性を判定するとともに、上記照合区間音響パワー算出手段で算出された音響パワーＳを上記騒音区間音響パワー算出手段で算出された音響パワーＮで割った値ＳＮＲが所定の閾値ＴＨＳＮＲを下回る場合に、これらの音声の話者は非同一であると判定する話者判定手段と、
を備えたものである。
【手続補正４】
【補正対象書類名】明細書
【補正対象項目名】０００９
【補正方法】変更
【補正の内容】
【０００９】
このように、この発明に係る話者照合装置は、照合区間入力音声と登録音声とを照合して得られた照合距離値と、上記照合区間入力音声に先行又は後続する入力音声の一部の音響パワーＮに基づいて設定された照合閾値ＴＨＧとを比較して、上記登録音声と入力音声との話者同一性を判定することによって誤照合を防止することができるのである。
また、照合区間入力音声の音響パワーＳを照合区間入力音声に先行又は後続する上記入力音声の一部の音響パワーＮで割った値ＳＮＲが所定の閾値ＴＨＳＮＲを下回る場合に、入力音声と登録音声の話者は非同一であると判定することによって誤照合を防止することができるのである。
【手続補正５】
【補正対象書類名】明細書
【補正対象項目名】００２５
【補正方法】変更
【補正の内容】
【００２５】
連続ＤＰマッチング部１０６は、数４により求めた累積距離値Ｇが所定値以下となる区間を照合区間とする。
【手続補正６】
【補正対象書類名】明細書
【補正対象項目名】００２９
【補正方法】変更
【補正の内容】
【００２９】
次にＳＮＲ計算部１０９は、ステップＳ１４とＳ１５で求めたＳとＮの比（Ｓ／Ｎ）を計算し、これをＳＮＲとする（ステップＳ１６）。次に判定部１１０は、連続ＤＰマッチング部１０６が出力した累積距離値Ｇと照合区間について、所定の照合閾値ＴＨＧと比較し、Ｇ＜ＴＨＧであり、かつ、ＳＮＲと所定の閾値ＴＨＳＮＲとを比較し、ＳＮＲ＞ＴＨＳＮＲである場合に登録音声と入力音声の話者は同一であると判定する（ステップＳ１７：同一）。また、Ｇ＜ＴＨＧとＳＮＲ＞ＴＨＳＮＲとのいずれかの条件が満たされなければ、話者は非同一であると判定され（ステップＳ１７：非同一）、ステップＳ１８に進む。なお、ここではＳＮＲはＳとＮの比として説明したが、この他にＳとＮの比の対数をとったｌｏｇ（Ｓ／Ｎ）をＳＮＲとして用いるようにしてもよい。
【手続補正７】
【補正対象書類名】明細書
【補正対象項目名】００３５
【補正方法】変更
【補正の内容】
【００３５】
実施の形態２．
実施の形態１による話者照合装置は、算出した累積距離値Ｇと一定の照合閾値ＴＨＧとを比較して定常的に入力音声を棄却する構成としていた。しかしその他に、場面に応じて異なる閾値を設定するようにしてもよい。実施の形態２による話者照合装置は、かかる特徴を有するものである。
【手続補正８】
【補正対象書類名】明細書
【補正対象項目名】００３９
【補正方法】変更
【補正の内容】
【００３９】
次に照合閾値設定部２０１は、照合区間前音響パワー計算部１０８が計算したＮから、照合閾値ＴＨＧを所定の対応関係にしたがって決定する。具体的には、ＴＨａ、ＴＨN、ＴＨM、ｗをそれぞれ所定値として、
【数１】
2005300958.tif 000001
と設定する。すなわち、騒音が小さい場合には照合閾値を小さくするとともに、騒音が大きくなると照合閾値もそれに伴って大きくしていく。ただし、照合閾値に下限（ＴＨａ）と上限（ＴＨａ＋（ＴＨＭ−ＴＨＮ）×ｗ）を持たせるようにしている。その他、ＴＨＧをＮの任意の増加関数の関数値として算出するようにしてもよい。こうすることで、騒音レベルが大きくなった場合に照合閾値が緩くなった結果、本人棄却率が増加してしまうこと防ぐことができるのである。なお、Ｎは対数をとった対数音響パワーとしても実現可能である。
【手続補正９】
【補正対象書類名】明細書
【補正対象項目名】００４０
【補正方法】変更
【補正の内容】
【００４０】
次に判定部１１０は、連続ＤＰマッチング部１０６が出力した累積距離値Ｇと照合閾値設定部２０１が設定した照合閾値ＴＨＧについて、Ｇ＜ＴＨＧである場合に話者は同一であると判定する（ステップＳ２６）。またＧ＜ＴＨＧでない場合は話者非同一であるとして次の時刻の音声データの取得を行う（ステップＳ２６）。
【手続補正１０】
【補正対象書類名】明細書
【補正対象項目名】００４３
【補正方法】変更
【補正の内容】
【００４３】
また、上述の処理では、照合閾値ＴＨＧを再計算するように構成例を示したが、実施の形態１と同様に構成し、照合閾値ＴＨＧに替えて、ＳＮＲと比較する閾値ＴＨＳＮＲを再計算するように構成してもよい。